(57)【要約】【課題】フラッシュメモリへのデータの書き込み作業の効率を向上させることが可能な書き込み装置を提供すること目的とする。【解決手段】フラッシュメモリに書き込むべきデータが保存されたサーバ機能付き書き込み装置４と、前記サーバ機能付き書き込み装置とイーサネット（登録商標）又はＵＳＢ接続されたイーサネット（登録商標）又はＵＳＢ接続用のハブ３と、前記ハブとイーサネット（登録商標）又はＵＳＢ接続され、前記データが書き込まれるべきボード１と専用ケーブル５で接続され、かつ前記ボードへの前記データの書き込みを開始するためのスイッチ２ａを有する複数の書き込み装置２と、からなることを特徴とする書き込み装置。【選択図】図１
2009037461.tif 000002
【特許請求の範囲】
【請求項１】
フラッシュメモリに書き込むべきデータが保存されたサーバ機能付き書き込み装置と、
前記サーバ機能付き書き込み装置とイーサネット（登録商標）又はＵＳＢ接続され、前記データが書き込まれるべきボードと専用ケーブルで接続され、かつ前記ボードへの前記データの書き込みを開始するためのスイッチを有する複数の書き込み装置と、
からなることを特徴とする書き込み装置。
【請求項２】
フラッシュメモリに書き込むべきデータが保存されたサーバ機能付き書き込み装置と、
前記サーバ機能付き書き込み装置とイーサネット（登録商標）又はＵＳＢ接続されたイーサネット（登録商標）又はＵＳＢ接続用のハブと、
前記ハブとイーサネット（登録商標）又はＵＳＢ接続され、前記データが書き込まれるべきボードと専用ケーブルで接続され、かつ前記ボードへの前記データの書き込みを開始するためのスイッチを有する複数の書き込み装置と、
からなることを特徴とする書き込み装置。
【請求項３】
フラッシュメモリに書き込むべきデータが保存されたサーバ機能付き書き込み装置と、
前記サーバ機能付き書き込み装置とインターネット又はＬＡＮにより接続されたイーサネット（登録商標）用ハブと、
前記ハブとイーサネット（登録商標）接続され、前記データが書き込まれるべきボードと専用ケーブルで接続され、かつ前記ボードへの前記データの書き込みを開始するためのスイッチを有する複数の書き込み装置と、
からなることを特徴とする書き込み装置。
【請求項４】
前記ハブが複数段に接続されていることを特徴とする請求項２又は３に記載の書き込み装置。
【請求項５】
フラッシュメモリに書き込むべきデータが保存され、該データを送信するための無線送信部を有するサーバ機能付き書き込み装置と、
前記サーバ機能付き書き込み装置から送信されたデータを受信するための無線受信部を有し、前記データが書き込まれるべきボードと専用ケーブルで接続され、かつ前記ボードへの前記データの書き込みを開始するためのスイッチを有する複数の書き込み装置と、
からなることを特徴とする書き込み装置。
【請求項６】
フラッシュメモリに書き込むべきデータが保存された書き込み装置と、
前記サーバ機能付き書き込み装置と専用ケーブルにより接続され、前記データが書き込まれるべきボードと専用ケーブルで接続される複数の書き込み装置と、
からなることを特徴とする書き込み装置。
【請求項７】
前記フラッシュメモリに書き込むべきデータが保存された書き込み装置が、該データの一斉書き込みを行うためのスイッチを有することを特徴とする請求項１乃至６いずれか記載の書き込み装置。
【発明の詳細な説明】
【技術分野】
【０００１】
本発明は、フラッシュメモリにデータを書き込むための書き込み装置に関する。
【背景技術】
【０００２】
フラッシュメモリはデータやプログラムを記録するためのＩＣであり、書き込みと読み込みが可能である。また、メモリ自体の電源が落とされても書き込まれた内容は消えずに保持される。現在フラッシュメモリは冷蔵庫や洗濯機等多くの電気製品に組み込まれている（図７参照）。
【０００３】
このフラッシュメモリが基板に実装されている状態でプログラムやデータを書き込むことが出来る装置をフラッシュメモリオンボードへの書き込み装置と呼んでいる。この「オンボード」とはフラッシュメモリが基板に実装されている状態を意味する。書き込みたいデータは、予め書き込み装置に記憶されている場合や、書き込み装置が接続されているパソコンに保存されている場合など種々の態様がある。
【０００４】
工場等の生産現場においては、生産効率を増すためにフラッシュメモリに対して一つ一つ書き込み作業をするのではなく、一度に複数のフラッシュメモリに対して書き込みを行うことがある。このように複数のフラッシュメモリに一回の手順で一度に書き込みを行う際にはギャングライタと呼ばれる書き込み装置を用いる（図９参照）。
【０００５】
図８は従来からある一般的なギャングライタを示す図である。
【０００６】
ここで、従来のギャングライタを用いた書き込み作業の流れを図１０のフローチャートを参照しながら説明する。
【０００７】
まず、データが書き込まれていないフラッシュメモリが搭載されたボードを例えば８枚準備する（Ｓ２０１）。そして、手作業でボード１と書き込み装置とを接続する（Ｓ２０２）。次に、同じく手作業でボード２と書き込み装置を接続する（Ｓ２０３）。この場合、ボード１は待ち状態となる。このように、順次ボード８まで手作業で接続を行う。ボード８の接続作業中は、ボード１〜７は待ち状態となっている（Ｓ２０５）。
【０００８】
次に、書き込み装置上の一斉書き込み開始スイッチを押し、書き込みを開始する（Ｓ２０６）。そして書き込みが終了したらボード１〜ボード８を順次書き込み装置から取り外す（Ｓ２０７〜Ｓ２０９）。従って、ボード８の取り外し作業中は、ボード１〜７は待ち状態となる。
【０００９】
なお、例えば特許文献１には、装置コストと回路面積を抑制できるフラッシュＲＯＭプログラム書き込み方法及びプログラム開発ツールが開示されている。
【特許文献１】特開平１１−３４６２４０号公報
【発明の開示】
【発明が解決しようとする課題】
【００１０】
しかし、上記したように従来の書き込み装置はフラッシュメモリ搭載ボード（以下、「ボード」と言う。）に専用の線で接続され、例えば図９の場合だと一度に４枚のボードに対して書き込みが可能であるが、専用ケーブルを接続できる最大数が予め書き込み装置によって決まっている為、書き込み対象のボードの数を増やすことは出来無い。ボードを８枚一度に扱いたい場合は書き込み装置をもう一台購入し、書き込み作業を２回に分けて行わなければならない。
【００１１】
更に、ボードと書き込み装置を専用ケーブルで接続するには人の手による作業が必要になる。そして人の手で行う複数のボードを専用ケーブルで接続する作業は瞬時では出来ない。ボード毎に順番に接続作業を行う必要がある。全て接続し終えた段階で「一斉書き込みスイッチ」を押し、一斉に書き込み作業を始める。
【００１２】
そして次のボード群への書き込み作業を開始する為に、一旦全ての書き込み済みボードを未書き込みのボードに交換する作業が必要となる。
【００１３】
ここでの無駄は専用ケーブルへの接続作業中のボード以外は「待ち」の状態にある点である。また、取り外す時も同様に、一つ一つ取り外すので作業中のボード以外は「待ち」の状態になる。
【００１４】
本発明は、このような課題を解決するためになされたものであり、フラッシュメモリへのデータの書き込み作業の効率を向上させることが可能な書き込み装置を提供すること目的とする。
【課題を解決するための手段】
【００１５】
本発明は、上述の目的を達成するため、以下（１）〜（７）の構成を備えるものである。
【００１６】
（１）フラッシュメモリに書き込むべきデータが保存されたサーバ機能付き書き込み装置と、前記サーバ機能付き書き込み装置とイーサネット（登録商標）又はＵＳＢ接続され、前記データが書き込まれるべきボードと専用ケーブルで接続され、かつ前記ボードへの前記データの書き込みを開始するためのスイッチを有する複数の書き込み装置と、からなることを特徴とする書き込み装置。
【００１７】
（２）フラッシュメモリに書き込むべきデータが保存されたサーバ機能付き書き込み装置と、前記サーバ機能付き書き込み装置とイーサネット（登録商標）又はＵＳＢ接続されたイーサネット（登録商標）又はＵＳＢ接続用のハブと、前記ハブとイーサネット（登録商標）又はＵＳＢ接続され、前記データが書き込まれるべきボードと専用ケーブルで接続され、かつ前記ボードへの前記データの書き込みを開始するためのスイッチを有する複数の書き込み装置と、からなることを特徴とする書き込み装置。
【００１８】
（３）フラッシュメモリに書き込むべきデータが保存されたサーバ機能付き書き込み装置と、前記サーバ機能付き書き込み装置とインターネット又はＬＡＮにより接続されたイーサネット（登録商標）用ハブと、前記ハブとイーサネット（登録商標）接続され、前記データが書き込まれるべきボードと専用ケーブルで接続され、かつ前記ボードへの前記データの書き込みを開始するためのスイッチを有する複数の書き込み装置と、からなることを特徴とする書き込み装置。
【００１９】
（４）前記ハブが複数段に接続されていることを特徴とする前記（２）又は（３）に記載の書き込み装置。
【００２０】
（５）フラッシュメモリに書き込むべきデータが保存され、該データを送信するための無線送信部を有するサーバ機能付き書き込み装置と、前記サーバ機能付き書き込み装置から送信されたデータを受信するための無線受信部を有し、前記データが書き込まれるべきボードと専用ケーブルで接続され、かつ前記ボードへの前記データの書き込みを開始するためのスイッチを有する複数の書き込み装置と、からなることを特徴とする書き込み装置。
【００２１】
（６）フラッシュメモリに書き込むべきデータが保存された書き込み装置と、前記サーバ機能付き書き込み装置と専用ケーブルにより接続され、前記データが書き込まれるべきボードと専用ケーブルで接続される複数の書き込み装置と、からなることを特徴とする書き込み装置。
【００２２】
（７）前記フラッシュメモリに書き込むべきデータが保存された書き込み装置が、該データの一斉書き込みを行うためのスイッチを有することを特徴とする（１）乃至（６）いずれか記載の書き込み装置。
【発明の効果】
【００２３】
本発明の書き込み装置を使ってフラッシュメモリへの書き込み作業を行えば、専用ケーブルの接続や取り外しの際に、データが書き込まれる各ボードが待機状態になることが無く、非常に効率的に書き込み作業を行うことが可能となる。
【発明を実施するための最良の形態】
【００２４】
以下、本発明を実施するための最良の形態を、実施例により詳しく説明する。
【実施例１】
【００２５】
本実施例の書き込み装置であるギャングライタの基本的な構成を図１に示す。すなわち、書き込み装置は基本的には、マスターであるサーバ機能付き書き込み装置４、イーサネット（登録商標）又はＵＳＢ用ハブ３とスレーブとしての書き込み装置２により構成され、これらはイーサネット（登録商標）又はＵＳＢ接続６により接続されている。そして、サーバ機能付き書き込み装置（マスター）には一斉書き込みスイッチ４ａが、書き込み装置（スレーブ）には書き込みスイッチ２ａがそれぞれ設置されている。このギャングライタは、従来のギャングライタと同様に専用ケーブル５を介してフラッシュメモリ１ａが搭載されたボード１に個々に接続されている。
【００２６】
なお、上記のイーサネット（登録商標）とは、主にパソコンとインターネットを接続するのに用いられている公的な規格の上に成り立っているＬＡＮ規格である。また、ＵＳＢも主にパソコンとその周辺機器を接続する為に用いられるため公的な規格の上に成り立っている。
【００２７】
また、上記のイーサネット（登録商標）又はＵＳＢ用ハブは、市販されている一般的なハブを用いる。またハブは、ハブから別のハブに枝分かれも可能で何段にも渡って構成を組むことが出来るため（図２参照）、最大接続数の自由度が高い。これにより枝の数が固定されていた従来のギャングライタの問題が大幅に解消される。
【００２８】
もう一つ、従来ギャングライタに見られた接続作業時に出る無駄も大幅に解消されている。
【００２９】
まず本実施例の書き込み装置の大きな特徴はマスターにサーバ機能があることである。この機能がマスターにあると、個々の書き込み装置（スレーブ）上に書き込みスイッチ２ａを付加することが可能になる。このスイッチ２ａがあると、専用ケーブル５でボード１と書き込み装置２を接続をしたタイミングでスイッチ２ａを押し、書き込みを開始することが出来る。上記したように人の手で行う複数のボードを専用ケーブルで接続する作業は瞬時では出来ない。ボード毎に順番に接続作業を行う必要がある。そのため、接続をするタイミングで書き込みを開始出来ればボードの流れ作業が可能になり、書き込み作業の効率が上がる。勿論従来の書き込み装置と同様に、サーバ機能付き書き込み装置マスター４の一斉書き込みスイッチ４ａを押す一回の操作で一度に書き込みを行うことも可能である。
【００３０】
図３に本実施例の書き込み装置を用いたフラッシュメモリへのデータの書き込み作業の流れを示すフローを示し、その流れを以下に説明する。
【００３１】
まず、データの書き込まれていないフラッシュメモリが搭載されたボードを８枚準備する（Ｓ１０１）。次に、手作業でボード１と書き込み装置スレーブを接続し、そのスレーブに備えられた書き込みスイッチを押す（Ｓ１０２）。同様に、ボード２〜８についても同様の作業を行う（Ｓ１０３〜Ｓ１０５）。この場合、例えばボード８と書き込みスレーブを接続している間は、ボード１〜７はデータの書き込み中又は書き込み終了状態である（Ｓ１０６）。そして、書き込みの終了しているボードを書き込み装置から順次、取り外す（Ｓ１０７）。
【００３２】
このように、本実施例の書き込み装置を使ってフラッシュメモリへの書き込み作業を行えば、専用ケーブルの接続や取り外しの際に、データが書き込まれる各ボードが待機状態になることが無く、非常に効率的に書き込み作業を行うことができる。
【実施例２】
【００３３】
本実施例の書き込み装置は、実施例１の書き込み装置をＬＡＮ又はインターネットを介して用いた場合の書き込み装置である。図４を用いて、この書き込み装置を説明する。
【００３４】
図に示したように、サーバ機能付き書き込み装置とハブの間は、ＬＡＮ又はインターネットを介して接続されているものとする。そして、ハブはイーサネット（登録商標）用ハブ９であり、接続はイーサネット（登録商標）接続８である。このような書き込み装置を使用することで例えば、日本本社で書き込みデータを管理して中国の工場でそれを書き込むと言った使い方も実現出来る。ＬＡＮを介した場合は工場の管理室で書き込みデータを管理して作業室でそれを書き込むと言った使い方も実現出来る。
【００３５】
いずれにしても、従来のフラッシュメモリのデータの書き込み装置では実現できなかった効率の良い、しかも遠隔地間の書き込み作業ができる。
【実施例３】
【００３６】
本実施例の書き込み装置は、イーサネット（登録商標）やＵＳＢ接続ではなく電力通信や無線通信をした場合の書き込み装置である。図５に無線通信を利用した場合の装置を示す。
【００３７】
サーバ機能付き書き込み装置（マスター）は無線送信部を有し、書き込み装置（スレーブ）には無線受信部を有しているものとする。この書き込み装置を使用するとハブが不要であり、また最大接続数が制限されてしまう問題も解消することができる。
【実施例４】
【００３８】
本実施例の書き込み装置は、従来の書き込み装置（ギャングライタ）とハブを使用した書き込み装置であり、図６にその概要を示す。
【００３９】
この図において、ハブ１２は一個のハブである必要はなく、図２に示したような複数のハブを多段に構成したものであってもよい。この様な構成を有する書き込み装置を使用することで、従来の書き込み装置では実現できなかった多数同時の書き込みが可能な書き込み装置を提供することができる。
【図面の簡単な説明】
【００４０】
【図１】実施例１の書き込み装置を示す図
【図２】７枝のハブを３段構成することで１９枝を得た状態を示す図
【図３】実施例１の書き込み装置を用いた書き込み作業を示すフローチャート
【図４】実施例２の書き込み装置を示す図
【図５】実施例３の書き込み装置を示す図
【図６】実施例４の書き込み装置を示す図
【図７】フラッシュメモリが使用されている電気製品を示す図
【図８】一般的なフラッシュメモリオンボードへの書き込み装置を示す図
【図９】従来までの書き込み装置を示す図
【図１０】従来までの書き込み装置を用いた書き込み作業を示すフローチャート
【符号の説明】
【００４１】
１    ボード
１ａ  フラッシュメモリ
２    書き込み装置（スレーブ）
２ａ  書き込みスイッチ
３    イーサネット（登録商標）又はＵＳＢ用ハブ
４    サーバ機能付き書き込み装置（マスター）
４ａ  一斉書き込みスイッチ
５    専用ケーブル
６    イーサネット（登録商標）又はＵＳＢ接続
７    ＬＡＮ／インターネット
８    イーサネット（登録商標）接続
９    イーサネット（登録商標）用ハブ
１０  受信部付き書き込み装置（スレーブ）
１０ａ  書き込みスイッチ
１１  送信部及びサーバ機能付き書き込み装置（マスター）
１１ａ  一斉書き込みスイッチ
１２    ハブ
１３    従来の書き込み装置
１３ａ  一斉書き込みスイッチ
２０    電気製品
【図１】
2009037461.tif 000003
【図２】
2009037461.tif 000004
【図３】
2009037461.tif 000005
【図４】
2009037461.tif 000006
【図５】
2009037461.tif 000007
【図６】
2009037461.tif 000008
【図７】
2009037461.tif 000009
【図８】
2009037461.tif 000010
【図９】
2009037461.tif 000011
【図１０】
2009037461.tif 000012